(57)【特許請求の範囲】
【請求項１】
着用者の皮膚（９０）に密着して着用され、運動による汗、環境条件又はこれら両方により濡れている上半身用スポーツウェア（１０）のための、濡れたスポーツウェアの脱衣支援手段において、前記支援手段は、前記スポーツウェア（１０）の背部に作製され、
−条片案内部（２０）、メッシュ案内部（４０）又は折込み案内部（６０）から選択される、１つ又は複数の案内部から構成され、
−前記１つ又は複数の案内部は、前記選択した案内部のための対応する引張り手段を備え、前記引張り手段は、条片（３０）、メッシュ（５０）又は摺動背部（７０）から選択され、全ての前記引張り手段の始端部は、接合領域（１２）内で前記スポーツウェア（１０）の裾部（１１）に取り付けられ、前記引張り手段のもう一方の側は、把持手段又は中間接続領域（３１）内で終端し；
−前記把持手段は、前記着用者の首領域内で前記スポーツウェア（１０）の頂部近くであって、前記スポーツウェア（１０）の前記背部に位置し、手で把持、引っ張り、前記スポーツウェアの背部を引き上げられるようにし；
−前記脱衣支援手段は、前記スポーツウェア（１０）の内側又は外側表面上に位置することを特徴とする、濡れたスポーツウェアの脱衣支援手段。
【請求項２】
前記１つ又は複数の案内部は、前記条片案内部（２０）であるように選択し、前記条片案内部（２０）は、前記スポーツウェア（１０）の面の一方に継ぎ目（２４）を介して縫い付けた材料から形成され、前記スポーツウェア（１０）と共に、前記条片（３０）が中で移動するのを可能にするスリーブを形成し、前記各条片案内部（２０）は、前記裾部（１１）の近くに位置する条片案内部始端部（２１）から始端することを特徴とする、請求項１に記載の濡れたスポーツウェア（１０）の脱衣支援手段。
【請求項３】
前記各条片案内部（２０）は、前記スポーツウェア（１０）の首部に近い条片案内部終端部（２２）で終端し、前記各条片（３０）は、握り部（８０）であるように選択した前記把持手段に個別に接続されていることを特徴とする、請求項２に記載の濡れたスポーツウェア（１０）の脱衣支援手段。
【請求項４】
前記条片案内部（２０）は、前記条片案内部（２０）の一部又は全てが重複領域（２３）内で重複し、前記対応する条片（３０）が重なり合って前記重複領域（２３）を個別に通過するように重複していることを特徴とする、請求項３に記載の濡れたスポーツウェア（１０）の脱衣支援手段。
【請求項５】
前記条片案内部（２０）の一部は、前記重複領域（２３）内で終端し、前記対応する条片（３０）は、前記案内部（２０）内に位置する前記条片（３０）上に形成した前記接続領域（３１）内で互いに接続され、前記条片（３０）は、前記スポーツウェア（１０）の前記首部に近い前記重複領域（２３）にわたって通過する前記案内部（２０）内に位置することを特徴とする、請求項４に記載の濡れたスポーツウェア（１０）の脱衣支援手段。
【請求項６】
前記条片案内部（２０）は、前記着用者の皮膚（９０）の方を向く前記スポーツウェア（１０）の内側表面上に形成されることを特徴とする、請求項２〜５のうちいずれか一項に記載の濡れたスポーツウェア（１０）の脱衣支援手段。
【請求項７】
前記案内部は、前記メッシュ案内部（４０）であるように選択し、前記メッシュ案内部（４０）は、前記スポーツウェア（１０）に継ぎ目（４４）を介して縫い付けた材料から形成され、前記スポーツウェア（１０）と共に、前記メッシュ（５０）が中で移動するのを可能にするスリーブを形成し、前記メッシュ案内部（４０）は、前記裾部（１１）の近くに位置するメッシュ案内部始端部（４１）から始端することを特徴とする、請求項１に記載の濡れたスポーツウェア（１０）の脱衣支援手段。
【請求項８】
長方形形態の前記メッシュ（５０）は、前記対応するメッシュ案内部（４０）に挿入され、前記メッシュ（５０）は、一端で、前記背部の前記裾部（１１）の全てにわたり延在する前記接合領域（１２）に取り付けられ、もう一方の側で、握り部（９０）であるように選択した前記把持手段に取り付けられていることを特徴とする、請求項７に記載の濡れたスポーツウェア（１０）の脱衣支援手段。
【請求項９】
台形形態の前記メッシュ（５０）は、前記対応するメッシュ案内部（４０）に挿入し、前記メッシュ（５０）は、一端で、前記背部の前記裾部（１１）の全てにわたり延在する前記接合領域（１２）に取り付けられ、反対側で、前記メッシュ案内部終端部（４２）から外に出ているメッシュくびれ部（８１）に取り付けられ、前記メッシュくびれ部（８１）は、把持手段として働き、前記メッシュくびれ部（８１）を締結手段（１４）に取り付けるための締結手段（５１）を備えることを特徴とする、請求項７に記載の濡れたスポーツウェア（１０）の脱衣支援手段。
【請求項１０】
前記メッシュ案内部（４０）は、前記着用者の皮膚（９０）の方を向く前記スポーツウェア（１０）の内側表面上に形成されることを特徴とする、請求項７〜９のうちいずれか一項に記載の濡れたスポーツウェア（１０）の脱衣支援手段。
【請求項１１】
前記案内部は、前記スポーツウェアに縫い付けた材料を有する、前記スポーツウェア（１０）の前記首部に形成した前記折込み案内部（６０）であるように選択し、短いスリーブを形成し、前記短いスリーブは、前記摺動背部（７０）のくびれ部（８２）によって、前記摺動背部（７０）が前記折込み案内部（６０）を通ることを可能にし、前記くびれ部（８２）は、前記スポーツウェア（１０）の頂部から延在し、把持手段として使用し、前記摺動背部（７０）は、前記着用者の皮膚（９０）と直接接触し、前記裾部（１１）の背部にわたり延在する前記接合領域（１２）内で前記摺動背部（７０）の下側部のみを介して固定され、前記摺動背部（７０）は、前記接合領域（１２）を除いて前記摺動背部（７０）から分離している前記スポーツウェア（１０）の前記背部を形成し、縁部（７２）は、前記裾部（１１）から前記折込み案内部（６０）に延在する縁部（１７）で縁を付けた前記スポーツウェアの前記背部の下に位置することを特徴とする、請求項１に記載の濡れたスポーツウェア（１０）の脱衣支援手段。
【請求項１２】
前記摺動背部（７０）は、台形形態を有し、前記台形形態の基部は、前記裾部（１１）により取り付けられ、前記台形形態のくびれ部（８２）は、一端で、締結手段（７１）を有する把持手段として使用され、前記締結手段（７１）は、前記折込み案内部（６０）の近くに位置する締結手段（１４）に対応することを特徴とする、請求項１１に記載の濡れたスポーツウェア（１０）の脱衣支援手段。
【発明の詳細な説明】
【技術分野】
【０００１】
本発明は、スポーツウェアの脱衣支援手段を開示するものであり、この脱衣支援手段は、着用者が、濡れたスポーツウェア、特にスポーツウェアの上側部を脱衣することを支援する。前記支援手段は、更なる特定の技術的機能を有する衣類の細部に対処する技術分野に属する。
【背景技術】
【０００２】
技術的問題
今日の健康的な生活に対する傾向には、より多くの人々が様々な室内外のスポーツ活動に携わることが挙げられ、こうしたスポーツ活動のために特殊な衣類が設計され、着用されている。上述の活動の一部は、着用者の皮膚にかなり密着するように設計されたスポーツウェアを使って実施される。活動の間、スポーツウェアは運動による汗、環境条件又はこれらの両方により濡れた状態になる。上半身用スポーツウェアが濡れた状態になると、着用者の頭から脱衣することがほぼ不可能であることが観察される。仲間の助けが必要となり、さもなければ、スポーツウェアが破損する高い危険性がある。このことは特に、高性能の極細繊維ポリエステル布を備える衣類において注目されている。この布は体から汗を遠ざけ、汗を蒸発させる布表面上に汗を移動させるはずのものである。しかし、雨、又は激しい運動を行った場合、スポーツウェアは完全に濡れた状態になり、脱衣が不可能になる。
【０００３】
したがって、主な技術的解決法は、単純で確実であり、審美的に許容可能な支援手段を構成することであり、この手段は、濡れたスポーツウェア、特に着用者の皮膚にかなり密着するように設計された上半身用スポーツウェアを着用者の頭から簡単に脱衣させることを可能にする。
【０００４】
高齢者には、自身の脊柱、関節又は手足の健康状態のために、Ｔシャツ又は同様の衣類を頭から脱衣することに関して問題がある。肥満の人も同様に脱衣ができない可能性がある。したがって、主な技術的問題の解決策は、上記で観察される問題に容易に拡張することができる。本発明によると、着用者が首に触れることができれば、本発明による脱衣支援手段の使用が可能である。
【０００５】
技術的問題は、基本的に案内部から構成されるデバイスにより解決される。この案内部は、対応する、即ち、適合性のある引張り手段を備え、この引張り手段は、衣類の背部に位置する裾部に取り付けられ、着用者の手によって捕えられた後、首部分の方に十分に引き上げられるようにする。
【０００６】
従来の現況技術
本発明により解決する技術的問題は、新規な脱衣支援手段の構造であり、脱衣支援手段は、体に密着する濡れたスポーツウェアを着用者の頭から脱衣することを支援する。当技術分野には周知の解決策があり、こうした解決策は、ジッパ又は機械式／磁気スナップを備え、ジッパ又は機械式／磁気スナップは、１つ又は複数の縁部に沿ってスポーツウェアのジッパ又はファスナを外すことを可能にし、脱衣手順を容易にする。しかし、そのようなジッパ又はスナップは、一人では取扱いが煩雑でもあり、言うまでもなく、そのような解決策は、ユーザの体に密着するスポーツウェアを着用する際の体感を局所的に変化させる。
【０００７】
本発明は、スポーツウェアの背部に位置する裾部を引き上げることにより、技術的問題を解決するものであり、このことは、上記で引用した周知の解決策とはかなり異なる。本部門における従来の現況技術を検討する、即ち衣類の引上げ若しくは脱衣手段、又は衣類の少なくとも一部の引上げ若しくは脱衣手段を備える衣類を探索することは有益である。
【０００８】
おそらく、衣類の一部を引き上げる技術的解決策の中で最も早期のものの１つは、米国特許第５６０，６８３号（特許文献１）、発明者Ｅ．Ｂｒｕｃｋｎｅｒ、において述べられている。前記文献は、自転車に乗る人のためのズボンについて教示しており、このズボンは、ひざまで引き上げ、この短くした状態で保持することができる。実装されたシステムは、引き紐、及び係止システムを有する適切な案内部から構成される。
【０００９】
文献米国特許第７２４，７５８号（特許文献２）、発明者Ｈ．Ｍ．Ｔｏｄｄ、は、スカート又は裾部引上げ器について教示している。前記発明の目的は、女性用スカートの横幅部に対し手を使わずに、背部及び前記横幅部を引上げ且つ引下げるように構成したデバイスを提供することである。当該発明は、主にワイヤ・フレームから構成され、ワイヤ・フレームは、スカートの背部内に取り付けるように構成され、適切なテープ又はコードを通す適切なループを備え、テープ又はコードは、一緒に結ぶか、又は着用者の腰部に固着するように構成されている。
【００１０】
文献米国特許第２，１２７，７６３号（特許文献３）、発明者Ｇ．Ｂ．Ｂｅｎｔｚ、は、オーバーコート、トップコート、レインコート、ケープ等の改良形態について教示している。前記発明の主な焦点は、前記衣類が、いす又は同様のものの上に置いた後、床上に引き下ろされないようにする、又は踏みつけられないようにするものである。衣類の収縮は、コード、テープ、小さなチェーン又は同様の手段によって達成され、これらは、衣類内の異なる位置に固定することができるため、効果的に裾部の持ち上げをもたらす。
【００１１】
文献米国特許第５，２９９，３２３号（特許文献４）、発明者Ａ．Ｓｃｈａｅｆｅｒ等、は、衣類に対し繰り返し調節可能な縁部を形成する調節システムを開示している。この調節システムは、コードを備える調節機構を提供しており、そのコードは、一端で、縁部内部で衣類に取り付けられている一方で、もう一端は、衣類に固着された継ぎ目内部の保持ポケット又は通路に通す。引用発明の利点は、調整技術が一切なくても、衣類を人に合わせることを可能にすることである。
【００１２】
文献米国特許第５，３６７，７０９号（特許文献５）、発明者Ｎ．Ａ．Ｔｅａｓｌｅｙ、は、乳幼児のための調節可能な衣服を開示しており、この衣服は、子供の成長に合わせて長さを可逆的に調節するものである。調節は、側方継ぎ目に位置する引き紐により実施され、引き紐によって形成される結び目により固定される。
【００１３】
最後に、文献米国特許出願公開第２０１０／０２８１５９７号（特許文献６）、発明者Ｊ．Ａ．Ｌａｎｇ、は、即座に、妨げられることなく腰／ベルト・ラインに接近して必要な物を取り出す必要がある着用者のための、上半身用衣類内に装着される、衣類の部分持上げ／急速接近システムを開示している。急速接近システムは、着用者が、完全で妨げられることなく接近するのに適した腰／ベルト・ラインで、物を即座に露出させることを可能にするものであり、これは、胸ポケットにある単純なコードを引っ張ることによる。この動作は、衣類の底縁部にカーテンのような効果をもたらし、着用者が手にしたい物に素早く近づくことを支援する一方で、必要な活動の間、衣類の縁部を吊るしたままにする。
【００１４】
上記で引用した文献からは、引用文献のいずれも、体に密着するスポーツウェアで観察される脱衣の問題を解決していないという結論を出すことは容易である。更に、引き紐又はコードはもっぱら、ズボン、スカート又は同様の衣類を引き上げ、衣類の外観及び機能を調節又は修正するために使用されている。
【００１５】
しかし、引用文献のいずれも、所望の技術的効果を達成するために、条片、メッシュ又は更には摺動部等のより精巧な手段を適用することによって、体に密着し、濡れているスポーツウェアのための脱衣デバイスについて企図していない。
【先行技術文献】
【特許文献】
【００１６】
【特許文献１】米国特許第５６０，６８３号
【特許文献２】米国特許第７２４，７５８号
【特許文献３】米国特許第２，１２７，７６３号
【特許文献４】米国特許第５，２９９，３２３号
【特許文献５】米国特許第５，３６７，７０９号
【特許文献６】米国特許出願公開第２０１０／０２８１５９７号
【発明の概要】
【発明が解決しようとする課題】
【００１７】
本発明は、着用者の皮膚にかなり密着して着用される上半身用スポーツウェアのための、濡れたスポーツウェアの脱衣支援手段を開示する。
【課題を解決するための手段】
【００１８】
前記支援手段は、スポーツウェアの背部上に作製され、１つ又は複数の同一の案内部から構成され、案内部は、条片案内部、メッシュ案内部又は折込み案内部であるように選択される。選択された案内部は、対応する引張り手段、即ち、条片、メッシュ又は摺動背部を備える。全ての引張り手段の始端部は、接合領域内でスポーツウェアの背部裾部に取り付けられ、引張り手段のもう一方の側は、把持手段又は中間接続領域内で終端する。把持手段は、着用者の首領域内でスポーツウェアの頂部近くに位置し、手で容易に把持、引っ張り、スポーツウェアの背部を引き上げられるようにする。脱衣支援手段は、前記スポーツウェアの内側又は外側表面上に形成することができる。
【００１９】
第１の実施形態では、１つ又は複数の案内部は、条片案内部であるように選択し、この案内部は、スポーツウェアの面の一方に継ぎ目を介して縫い付けた材料から形成され、スポーツウェアと共に、条片が中で移動するのを可能にするスリーブを形成する。各条片案内部は、裾部の近くに位置する条片案内部始端部から始端する。一変形形態では、各条片案内部は、スポーツウェアの首部近くに位置する条片案内部終端部で終端し、各条片は、把持手段に個々に接続される。前記実施形態の別の変形形態では、案内部は、条片案内部の一部又は全てが重複領域内で重複し、対応する条片が重なり合って重複領域を個別に通過するように重複する。同じ実施形態のまた別の実施形態では、条片案内部の一部は、重複領域で終端し、対応する条片は、１つの条片上に形成した接続領域内で互いに接続され、条片は、スポーツウェアの首部に近い重複領域にわたって通過する。
【００２０】
第２の実施形態では、案内部は、メッシュ案内部であるように選択し、メッシュ案内部は、スポーツウェアに継ぎ目を介して縫い付けた材料から形成され、前記スポーツウェアと共に、メッシュが中で移動するのを可能にするスリーブを形成する。メッシュ案内部は、裾部の近くに位置するメッシュ案内部始端部から始端する。同じ実施形態の第１の変形形態では、長方形形態のメッシュを対応するメッシュ案内部に挿入し、前記メッシュは、その一端で、スポーツウェアの裾部の背部全体にわたり延在する接合領域に取り付けられている。メッシュは、もう一方の側で、握り部であるように選択した把持手段に取り付けられている。同じ実施形態のまた別の変形形態では、台形形態のメッシュを、対応するメッシュ案内部に挿入する。前記メッシュは、台形基部を介して、裾部の背部全体にわたり延在する接合領域に取り付けられている。反対側に形成されるメッシュくびれ部は、メッシュ案内部終端部から外に出ている。前記メッシュくびれ部は、把持手段として働く。メッシュくびれ部は、締結手段を備え、スポーツウェア上に形成した締結手段に前記メッシュくびれ部を取り付けるようにする。
【００２１】
第３の実施形態では、案内部は、スポーツウェアの首部に形成した折込み案内部であるように選択される。案内部は、スポーツウェアに縫い付けた材料から作製され、短いスリーブを形成し、短いスリーブは、摺動背部が、摺動背部のくびれ部によって折込み案内部を通過することを可能にする。前記くびれ部は、摺動背部の頂部から延在し、把持手段として使用される。前記摺動背部は、着用者の皮膚と直接接触し、裾部の背部全体にわたり延在する接合領域内で摺動背部の下側部のみを介して固定されている。摺動背部は、接合領域を除いて摺動背部から分離しているスポーツウェアの背部を形成する。好ましくは、摺動背部は台形形態を有し、台形形態の基部は裾部に取り付け、台形形態のくびれ部は、把持手段として端部上の締結手段と共に使用する。
【００２２】
記載する本発明は、通常の上半身用衣類内で脱衣手段として使用することができ、高齢者又は障害者が前記上半身用衣類を脱衣するのを支援する。
【００２３】
上記で挙げた実施形態は、本発明の変形形態のいくつかを表す図１〜図７により説明したものである。
【図面の簡単な説明】
【００２４】
【図１Ａ】唯一の条片案内部を使用して所望の技術的効果を達成する、第１の実施形態を示す図である。
【図１Ｂ】唯一の条片案内部を使用して所望の技術的効果を達成する、第１の実施形態を示す図である。
【図１Ｃ】唯一の条片案内部を使用して所望の技術的効果を達成する、第１の実施形態を示す図である。
【図１Ｄ】唯一の条片案内部を使用して所望の技術的効果を達成する、第１の実施形態を示す図である。
【図２Ａ】３つの個別の条片案内部を有する、同じ実施形態を示す図である。
【図２Ｂ】３つの個別の条片案内部を有する、同じ実施形態を示す図である。
【図２Ｃ】３つの個別の条片案内部を有する、同じ実施形態を示す図である。
【図３Ａ】重複する２つの個別の条片案内部を有する、同じ実施形態を示す図である。
【図３Ｂ】重複する２つの個別の条片案内部を有する、同じ実施形態を示す図である。
【図３Ｃ】重複する２つの個別の条片案内部を有する、同じ実施形態を示す図である。
【図４Ａ】３つの条片案内部を有する同じ実施形態を示す図であり、２つの条片案内部は、中央の条片案内部に接合されている。
【図４Ｂ】３つの条片案内部を有する同じ実施形態を示す図であり、２つの条片案内部は、中央の条片案内部に接合されている。
【図４Ｃ】３つの条片案内部を有する同じ実施形態を示す図であり、２つの条片案内部は、中央の条片案内部に接合されている。
【図５Ａ】メッシュ案内部を使用して所望の技術的効果を達成する第２の実施形態を示す図であり、メッシュ案内部は、長方形のものであるように選択する。
【図５Ｂ】メッシュ案内部を使用して所望の技術的効果を達成する第２の実施形態を示す図であり、メッシュ案内部は、長方形のものであるように選択する。
【図５Ｃ】メッシュ案内部を使用して所望の技術的効果を達成する第２の実施形態を示す図であり、メッシュ案内部は、長方形のものであるように選択する。
【図５Ｄ】メッシュ案内部を使用して所望の技術的効果を達成する第２の実施形態を示す図であり、メッシュ案内部は、長方形のものであるように選択する。
【図６Ａ】メッシュを台形形態のものであるように選択した、同じ実施形態を示す図であり、くびれ部は、把持手段として働く。
【図６Ｂ】メッシュを台形形態のものであるように選択した、同じ実施形態を示す図であり、くびれ部は、把持手段として働く。
【図６Ｃ】メッシュを台形形態のものであるように選択した、同じ実施形態を示す図であり、くびれ部は、把持手段として働く。
【図７Ａ】折込み案内部を使用して所望の技術的効果を達成する第３の実施形態を示す図であり、引張り部は、スポーツウェアの摺動背部であるように選択する。
【図７Ｂ】折込み案内部を使用して所望の技術的効果を達成する第３の実施形態を示す図であり、引張り部は、スポーツウェアの摺動背部であるように選択する。
【図７Ｃ】折込み案内部を使用して所望の技術的効果を達成する第３の実施形態を示す図であり、引張り部は、スポーツウェアの摺動背部であるように選択する。
【発明を実施するための形態】
【００２５】
高性能の極細繊維ポリエステル布を備える衣類、ＮｉｋｅのＤＲＩ−ＦＩＴ（登録商標）等は、体から汗を遠ざけ、布の表面上に移動させ、この表面で汗を蒸発させるように設計されている。しかし、雨、又は激しい運動を行った場合、スポーツウェアは完全に濡れた状態になる。上半身用スポーツウェアの場合、着用者が一人で頭からこのスポーツウェアを脱衣することはほぼ不可能になる。通常、脱衣手順には、ユーザの体に密着するスポーツウェアが破損しないように、人の助けを必要とする。
【００２６】
当技術分野には、脱衣手順を容易にするためにジッパ又はスナップを備える周知の解決策がある。しかし、そのような技術的解決策は、体に密着するスポーツウェアの場合に着用者の体感を悪化させ、多くの市場調査員は、エンドユーザにとってこのことが許容できないものであることがわかっている。本発明は、本明細書により詳細に説明する３つの実施形態を介して、上記で観察される技術的問題の解決を支援するものである。
【００２７】
第１の実施形態は、現在の技術的問題を解決するための最も単純な方法を表し、図１Ａ、図１Ｂ、図１Ｃ及び図１Ｄに示す。図１Ａは、上半身用スポーツウェア（１０）の背部を示し、脱衣支援手段は、前記スポーツウェア（１０）に使用する布の内側に組み付けられている。脱衣支援手段は、条片（３０）から形成され、条片（３０）は、縫付け又は当技術分野で公知のあらゆる他の適切な技法により、接合領域（１２）において裾部（１１）でしっかりと接合されている。ポリエステル条片（３０）又は同様の人工材料の場合、超音波溶接手順によっても固定を行うことができる。条片（３０）を裾部（１１）に接合する方法を図１Ｃに示す。接合領域（１２）は、少なくとも１センチメートル又はそれ以上の幅で形成し、接合領域（１２）に加えられるユーザの力、即ち、裾部（１１）材料に与えられる圧力を分散させるようにし、スポーツウェア（１０）の形成に使用する材料に悪影響を与えないようにすることが重要である。このことは、単純な引き紐が、特に細い箇所で裾部に固定される場合に適していないことの第１の理由である。条片（３０）は、あらゆる適切な材料、可能性としてはメッシュのような材料、又は着用者の皮膚のために十分に通気性のあるあらゆる他の材料から製造することができる。このことは、従来技術の上述の引き紐と比較して、平坦なメッシュのような材料を使用して条片（３０）を形成することの別の利点である。そのような条片（３０）は、容易に案内、固定することができ、着用者は、条片案内部（２０）内の１つ又は複数の条片（３０）の存在をほぼ感じず、スポーツウェアは、その最初の特徴及び審美的な外観を保持する。別の理由は、ＤＲＩ−ＦＩＴ（登録商標）等の新世代材料が、層になったボディ・マッピング布であり、この布の場合、更なる層の実装はかなり簡単であるためである。
【００２８】
条片案内部（２０）は、図１Ａでわかるように、スポーツウェア（１０）の裾部（１１）から首部分に延在する。条片案内部始端部（２１）、条片案内部終端部（２２）、及び条片案内部自体は、その長さ部に沿って、適切な継ぎ目（２４）を介してスポーツウェアの布に固定されている。図１Ｃ。所望の技術的効果について、当業者が自分で理解できるように、側方継ぎ目（２４）が条片案内部（２０）の長さ部全体に沿って連続していることは必要ではない。条片案内部始端部（２１）は、接合領域（１２）に重複し、接合領域（１２）で使用するのと同一の継ぎ目により継ぎ合わせることができる。本実施形態の条片案内部（２０）は、皮膚に対し通気性のある材料から製造することができ、この材料を継ぎ目（２４）によりスポーツウェアの布に縫い付け、スリーブを形成するようにし、これにより、条片（３０）がスリーブに沿って動くことが可能になる。図１Ｂは、背部の材料を取り除いた場合のスポーツウェア（１０）の内部構造を示し、条片案内部（２０）内の条片（３０）の相対位置を見せている。着用者の首の近くに延在する条片（３０）の上側部は、図１Ｄに示すように、ここでは握り部（８０）であるように選択した適切な把持手段を備える。
【００２９】
この最も単純な実施形態では、着用者が首の近くに位置する握り部（８０）を頭部の方に引くと、使用する前記ボディ・マッピング布がもたらす著しい摩擦にもかかわらず、背中の裾部（１１）が着用者の体に沿って持ち上がる。しかし、最も単純な実施形態の技術的効果は、十分ではないことがある。摩擦力は、脱衣支援手段が正しく機能しないほど強力である場合があることに留意されたい。即ち、これは、特に、ボディ・マッピング布内の初めの著しい張力がユーザの脱衣力よりも大きい場合である。この場合、裾部の歪みが、もたらされる唯一の技術的効果である。観察されたことをなくすために、同じ実施形態のいくつかの変形形態を提案し、図２Ａ〜図４Ｃに示す。
【００３０】
図２Ａに示す変形形態では、複数の条片案内部（２０）をスポーツウェア（１０）の内側背面に配置する。この例では、３つの条片案内部（２０）を使用し、２つの側方条片案内部（２０）は、中央条片案内部にわずかに傾斜し、着用者のもたらす引張り力を均等に分散させる。各条片案内部（２０）は、裾部（１１）に上記で明記したように固定した適切な条片（３０）を備える。各条片（３０）は、握り部（８０）であるように選択した把持手段に個別に固定されている。図２Ｂ。実際の使用を図２Ｃに示しており、図２Ｃでは、加えられた力によって裾部（１１）が均一に持ち上がっていることを明確に示す。当業者にとって、使用する案内部（２０）の数は任意であり、スポーツウェア（１０）のサイズ、ボディ・マッピング布の張力、及び達成すべき所望の技術的効果に従って選択すべきであることは明らかである。
【００３１】
図３Ａに示す同じ実施形態の別の変形形態では、２つの条片案内部（２０）をスポーツウェア（１０）の内側背面に配置する。この例では、２つの重複する条片案内部（２０）を使用した。裾部（１１）から始端する各条片案内部（２０）は、もう一方の案内部（２０）と共に、図案化した文字Ｘを形成する重複領域（２３）内で重複し、スポーツウェア（１０）の首部に続いている。やはり、着用者がもたらす引張り力の分散は、裾部に沿って均等に分散される。各条片案内部（２０）は、裾部（１１）に固定した適切な条片（３０）を備え、重複領域（２３）において互いに交差している。各条片（３０）は、やはり、握り部（８０）であるように選択した把持手段に個別に固定される。図３Ｂ。実際の使用を図３Ｃに示しており、図３Ｃは、加えられた力によって裾部（１１）が均一に持ち上がっていることを明確に示しており、このことは、図１Ｄで示す最も単純な実施形態のものよりも良好である。
【００３２】
図４Ａに示す同じ実施形態のまた別の変形形態では、３つの条片案内部（２０）をスポーツウェア（１０）の内側背面に配置する。この例では、２つの側方条片案内部（２０）は、中央条片案内部に傾斜し、これらは、裾部（１１）で始端し、重複領域（２３）内で終端する。中央に配置した条片案内部（２０）は、裾部（１１）から始端し、重複領域（２３）を通り、スポーツウェア（１０）の首部に続く。図４Ｂは、適切な条片（３０）の分散を示す。２つの側方条片案内部（３０）は、接続領域（３１）内で終端し、接続領域（３１）では、２つの側方条片案内部（３０）は、中央に配置した条片（３０）に縫い付けられるか、又は別の方法でしっかりと接続されている。やはり、着用者がもたらす引張り力の分散は、１つの条片（３０）のみを握り部（８０）であるように選択した把持手段に接続しているにもかかわらず、裾部に沿って均等に分散される。図４Ｂ。実際の使用を図４Ｃに示しており、図４Ｃは、裾部（１１）が均一に持ち上がっていることを示し、これは、図２Ｃに示す変形形態に近い。やはり、当業者にとって、使用する案内部（２０）の数が任意であり、スポーツウェア（１０）のサイズ、ボディ・マッピング布の張力、及び達成すべき所望の技術的効果に従って選択すべきであることは明らかである。
【００３３】
この第１の実施形態では、好ましい技術的解決策は、審美的な理由のために、脱衣手段がスポーツウェア（１０）の内側表面／布に完全に位置することである。しかし、当業者には、脱衣支援手段全体をスポーツウェア（１０）の外側に同等に組み付けることができること、及びこの場合、把持手段が他者から常に見えることは明らかである。
【００３４】
上記の技術的効果を分析することによって、より多数の平行条片が、裾部（１１）に均一な引張り力をもたらす際に良好であることを第１の実施形態から結論付けることができる。技術的解決策の第２の実施形態を形成する際、この教示を使用する。
【００３５】
第２の実施形態を図５Ａ、図５Ｂ、図５Ｃ及び図５Ｄに示す。説明を単純にするために、この実施形態は、原則的に、図１Ａ、図１Ｂ、図１Ｃ及び図１Ｄに示す第１の実施形態と等しく、条片及び対応する条片案内部の幅は、かなり拡大されている。図５Ａは、上半身用スポーツウェアの背部（１０）を示し、脱衣支援手段は、前記スポーツウェア（１０）に使用する布の内側に組み付けられている。脱衣支援手段は、メッシュ（５０）から形成され、メッシュ（５０）は、縫付け又は当技術分野で公知のあらゆる他の適切な技法により、接合領域（１２）において裾部（１１）でしっかりと接合されている。ポリエステル・メッシュ（５０）又は同様の人工材料の場合、第１の実施形態のように、超音波溶接手順によっても固定を行うことができる。メッシュ（５０）を裾部（１１）に接合する方法を図５Ｃに示す。本実施形態では、接合領域（１２）の幅がどのくらいかを考慮することによって、接合領域（１２）に加えられるユーザの力を裾部（１１）の背部に沿って分散させるため、圧力、即ち、この領域に対する力は、上述の第１の実施形態のものよりも著しく小さい。
【００３６】
メッシュ（５０）は、低密度の本物のメッシュとして製造することができ、単位メッシュ・サイズは、１ｃｍ以上のものである。メッシュ（５０）は、ＤＲＩ−ＦＩＴ（登録商標）又は同様のもの等、着用者の皮膚に対し十分に通気性のある、より密な繊維材料から作製することもできる。そのため、本明細書で使用する「メッシュ」は、標準的な文字通りの意味のメッシュではなく、着用者の皮膚に対し通気性のある材料と理解する必要がある。
【００３７】
メッシュ案内部（４０）は、図５Ａでわかるように、スポーツウェア（１０）の裾部（１１）から首部分に延在する。メッシュ案内部始端部（４１）、メッシュ案内部終端部（４２）、及びメッシュ案内部自体は、その長さ部に沿って、適切な継ぎ目（４４）を介してスポーツウェアの布に固定されている。図５Ｃ。所望の技術的効果について、当業者が自分で理解できるように、側方継ぎ目（４４）がメッシュ案内部（４０）の長さ部全体に沿って連続していることは必要ではない。メッシュ案内部始端部（４１）は、接合領域（１２）に重複し、接合領域（１２）で使用するのと同一の継ぎ目により継ぎ合わせることができる。本実施形態では、メッシュ案内部（４０）は、皮膚に対し通気性のある材料から製造することができ、この材料を継ぎ目（４４）によりスポーツウェアの布に縫い付けてスリーブを形成するようにし、これにより、メッシュ（４０）がスリーブに沿って動くことが可能になる。図５Ｂは、背部の材料を取り除いた場合のスポーツウェア（１０）の内部構造を示し、メッシュ案内部（４０）内のメッシュ（５０）の相対位置を見せている。着用者の首の近くに延在するメッシュ（５０）の上側部は、図５Ｄに示されているように、ここでは握り部（８０）であるように選択した適切な把持手段を備える。この実施形態は、所望の技術的効果をもたらすにはほぼ完全である。しかし、この変形形態は、依然として着用者の背中の大部分を占めており、場合によっては、熱及び湿気を周囲と交換することに影響を与えるおそれがあるため、別の変形形態を提案する。
【００３８】
第２の実施形態の１つの変形形態を図６Ａ、図６Ｂ及び図６Ｃに示す。熱及び湿気の周囲との交換を向上させるために、メッシュ（５０）を台形形態に形成する。対応するメッシュ案内部（４０）は、メッシュ（５０）の形状に従うように形成する。メッシュ案内部始端部（４１）は、裾部（１１）の近くに位置し、メッシュ案内部終端部（４２）が位置する首部に向かって傾斜している。図６Ａを参照。特に、図６Ｂは、台形メッシュ案内部（４０）内に位置する台形メッシュ（５０）を明らかにしている。台形メッシュ（５０）は、メッシュくびれ部（８１）内に延在し、メッシュくびれ部（８１）は、スポーツウェア（１０）から外に出して折り曲げられ、締結手段（５１）を介して、スポーツウェア（１０）上に形成された対応する締結手段（１４）に固定される。くびれ部（８１）は、把持手段及び引張り手段として同時に使用され、これにより、締結手段（５１、１４）を介してスポーツウェアに容易に固定される。締結手段は、通常のスナップ、Ｖｅｌｃｒｏ（登録商標）面ファスナを備える領域、又は当技術分野で使用するあらゆる他の締結手段であるように選択することができる。上述の変形形態の実際の使用を図６Ｃに示す。
【００３９】
第３の実施形態は、図７Ａ、図７Ｂ及び図７Ｃに示す本発明の技術的問題に対する最も根本的な解決策である。ここで、案内部は、着用者の肩の間に形成した折込み案内部（６０）であるように選択し、第２の実施形態からのメッシュ（５０）を交換して摺動背部（７０）にする。図７Ｃ。折込み案内部（６０）は、スポーツウェアに縫い付けた材料により形成し、首部上に短いスリーブを形成させる。折込み案内部（６０）は、前記摺動背部（７０）上に形成したくびれ部（８２）を通すことを可能にする。図７Ｃ。摺動背部（７０）は、台形形態に形成され、くびれ部（８２）は、摺動背部（７０）から延在する。摺動背部（７０）は、あらゆる材料、可能性としては、当技術分野で公知のあらゆる材料、好ましくは、スポーツウェア（１０）のその他の部分を製造するのにも使用した材料から形成することができる。図７Ａは、背後から見たスポーツウェア（１０）を示す。摺動背部（７０）は、部分的にしか見えず、他の実施形態のように接合領域（１２）内で裾部（１１）に継ぎ合わせられている。スポーツウェアの背部は、接合領域（１２）を介して下方に画定され、継ぎ目（１７）は台形の側部を形成し、折込み案内部（６０）の始端部は頂部上にある。
【００４０】
裾部（１１）に取り付けた接合領域（１２）によって画定する摺動背部（７０）は、かなり広く（図７Ｂ）、側方縁部（７２）は、スポーツウェア（１０）の下に位置し、頂部は、折込み案内部（６０）にわたって案内するのに適したくびれ部（８２）で終端する。そのようなくびれ部（８２）は、把持手段及び引張り手段として使用され、これにより、締結手段（７１、１４）を介してスポーツウェアに容易に固定される。締結手段は、通常のスナップ、Ｖｅｌｃｒｏ（登録商標）面ファスナを備える領域、又は当技術分野で使用するあらゆる他の締結手段であるように選択することができる。
【００４１】
上述の変形形態の実際の使用を図７Ｃに示す。くびれ部（８２）を引くことによって、くびれ部（８２）は、摺動背部（７０）を係合し、裾部（１１）上に均一に作用し、裾部（１１）を持ち上げる。図示のように、摺動背部（７０）と、スポーツウェア（１０）のその他の部分とは、縁部（１７）に沿って永続的に分離しており、スポーツウェア（１０）上に形成した縁部（７２）は、脱衣支援手段が適切に機能することを可能にする。図７Ｃ。摺動背部（７０）は、常に着用者の背中の皮膚（９０）と接触している。脱衣支援手段が背部に位置することで、前記脱衣支援手段を備える上述のスポーツウェア（１０）を着用する着用者が技術的に体感する、片手に加わるボディ・マッピング布の張力がいくぶん低いことは明らかである。完全なボディ・マッピング特徴が必須ではないスポーツに関しては、この特定の解決策は、所望の技術的効果を達成するには確かに十分である。
【産業上の利用可能性】
【００４２】
本発明は、単純で確実であり、審美的に許容可能な支援手段として適しており、この手段は、濡れたスポーツウェア、特に、着用者の皮膚にかなり密着するように設計された上半身用スポーツウェアを着用者の頭から簡単に脱衣させることを可能にする。したがって、産業上の利用可能性は明らかである。
【００４３】
高齢者が、自身の健康状態のために、Ｔシャツ又は同様の衣類を頭から脱衣する際の問題を抱えていることを考慮すると、上述の脱衣支援手段に対する可能な用途は、最初に企図したものよりも広い。
【００４４】
上述し、図面を通して示した本明細書による実施形態は、特許明細の範囲によって定義する本発明を実施するための一例として使用する必要がある。当業者は、確かに、可能性のある所望のファッションに適合するように上記の実施形態を修正するであろう。
【符号の説明】
【００４５】
１０  スポーツウェア
１１  裾部
１２  接合領域
１４  締結手段
１７  縁部
２０  条片案内部
２１  条片案内部始端部
２２  条片案内部終端部
２３  重複領域
２４  継ぎ目
３０  条片
３１  接続領域
４０  メッシュ案内部
４１  メッシュ案内部始端部
４２  メッシュ案内部終端部
４４  継ぎ目
５０  メッシュ
５１  締結手段
６０  折込み案内部
７０  摺動背部
７１  締結手段
７２  縁部
８０  握り部
８１  メッシュくびれ部
８２  くびれ部
９０  皮膚
【図１Ａ】
0006739426.tif 000002
【図１Ｂ】
0006739426.tif 000003
【図１Ｃ】
0006739426.tif 000004
【図１Ｄ】
0006739426.tif 000005
【図２Ａ】
0006739426.tif 000006
【図２Ｂ】
0006739426.tif 000007
【図２Ｃ】
0006739426.tif 000008
【図３Ａ】
0006739426.tif 000009
【図３Ｂ】
0006739426.tif 000010
【図３Ｃ】
0006739426.tif 000011
【図４Ａ】
0006739426.tif 000012
【図４Ｂ】
0006739426.tif 000013
【図４Ｃ】
0006739426.tif 000014
【図５Ａ】
0006739426.tif 000015
【図５Ｂ】
0006739426.tif 000016
【図５Ｃ】
0006739426.tif 000017
【図５Ｄ】
0006739426.tif 000018
【図６Ａ】
0006739426.tif 000019
【図６Ｂ】
0006739426.tif 000020
【図６Ｃ】
0006739426.tif 000021
【図７Ａ】
0006739426.tif 000022
【図７Ｂ】
0006739426.tif 000023
【図７Ｃ】
0006739426.tif 000024